(57)【要約】【課題】複数の無線通信システム間における通信速度が近くなるように制御したい。【解決手段】複数の通信部３０は、複数の無線通信方式にそれぞれ対応する。記憶部３８は、複数の通信部３０のそれぞれにおいて受信した信号を記憶する。処理部３２は、記憶部３８に記憶した信号に対して処理を実行する。制御部３６は、複数の通信部３０のそれぞれの動作を制御する。制御部３６は、記憶部３８に記憶した信号の量であって、かつ複数の通信部３０のそれぞれにおいて受信した信号の量間の差異が小さくなるように、複数の通信部３０のそれぞれにおける通信速度を制御する。【選択図】図３
2008205851.tif 000002
【特許請求の範囲】
【請求項１】
複数の無線通信方式にそれぞれ対応した複数の通信部と、
前記複数の通信部のそれぞれにおいて受信した信号を記憶する記憶部と、
前記記憶部に記憶した信号に対して処理を実行する処理部と、
前記複数の通信部のそれぞれの動作を制御する制御部とを備え、
前記制御部は、前記記憶部に記憶した信号の量であって、かつ前記複数の通信部のそれぞれにおいて受信した信号の量間の差異が小さくなるように、前記複数の通信部のそれぞれにおける通信速度を制御することを特徴とする無線装置。
【請求項２】
前記制御部は、前記複数の通信部のそれぞれにおいて受信した信号の量のうち、少ない方に合わせるように、残りの通信部における通信速度を制御することを特徴とする請求項１に記載の無線装置。
【請求項３】
前記複数の通信部のうちのひとつは、ハンドオーバの切替元として機能し、前記複数の通信部のうちの別のひとつは、ハンドオーバの切替先として機能しており、
前記制御部は、ハンドオーバの切替元として機能した通信部において受信した信号の量に合わせるように、ハンドオーバの切替先として機能した通信部における通信速度を制御することを特徴とする請求項１に記載の無線装置。
【請求項４】
前記複数の通信部のうちのひとつは、ハンドオーバの切替元として機能し、前記複数の通信部のうちの別のひとつは、ハンドオーバの切替先として機能しており、
前記制御部は、ハンドオーバの切替先として機能した通信部において受信した信号の量に合わせるように、ハンドオーバの切替元として機能した通信部における通信速度を制御することを特徴とする請求項１に記載の無線装置。
【請求項５】
複数の無線通信方式にそれぞれ対応した複数の通信部と、
前記複数の通信部のそれぞれにおいて受信した信号を処理を実行する処理部と、
前記複数の通信部のそれぞれの動作を制御する制御部とを備え、
前記複数の通信部のうちのひとつは、ハンドオーバの切替元として機能し、前記複数の通信部のうちの別のひとつは、ハンドオーバの切替先として機能しており、
前記制御部は、ハンドオーバの切替元として機能した通信部における通信速度に合わせるように、ハンドオーバの切替先として機能した通信部における通信速度を制御することを特徴とする無線装置。
【請求項６】
複数の無線通信方式にそれぞれ対応した複数の通信部と、
前記複数の通信部のそれぞれにおいて受信した信号を処理を実行する処理部と、
前記複数の通信部のそれぞれの動作を制御する制御部とを備え、
前記複数の通信部のうちのひとつは、ハンドオーバの切替元として機能し、前記複数の通信部のうちの別のひとつは、ハンドオーバの切替先として機能しており、
前記制御部は、ハンドオーバの切替先として機能した通信部における通信速度に合わせるように、ハンドオーバの切替元として機能した通信部における通信速度を制御することを特徴とする無線装置。
【請求項７】
複数の無線通信方式にそれぞれ対応した信号を受信した後に、受信した信号をメモリに記憶する受信方法であって、
メモリに記憶した信号の量であって、かつ複数の無線通信方式のそれぞれに対して受信した信号の量間の差異が小さくなるように、複数の無線通信方式のそれぞれにおける通信速度を制御することを特徴とする受信方法。
【発明の詳細な説明】
【技術分野】
【０００１】
本発明は、受信技術に関し、特に複数の無線通信方式に対応している場合の受信方法およびそれを利用した無線装置に関する。
【背景技術】
【０００２】
無線通信システムでは、一般的に、端末装置と基地局装置とが接続され、通信が実行される。端末装置が移動する場合、ハンドオーバが実行されることによって、端末装置は、切替元の基地局装置との通信に代わって、切替先の基地局装置との通信を実行する。このようなハンドオーバのうちのひとつが、ソフトハンドオーバである。ソフトハンドオーバでは、所定の期間において、切替先の基地局装置および切替先の基地局装置の両方に端末装置が接続される。また、複数の無線通信システムに対して、それぞれに対応した端末装置と基地局装置とが設けられる。複数の無線通信システムのそれぞれについて、サービスエリアの広さ、データレート、処理遅延時間等の特性は異なっている。また、複数の無線通信システム間に対するシステム間ハンドオーバも検討されている。（例えば、特許文献１参照。）。
【特許文献１】特表２０００−５０９５８３号公報
【発明の開示】
【発明が解決しようとする課題】
【０００３】
システム間ソフトハンドオーバが実行されると、端末装置は、切替元の基地局装置に接続されるとともに、切替先の基地局装置にも接続される。端末装置は、各基地局装置から受信した信号を記憶装置に一旦記憶し、記憶した信号を出力する。システム間ソフトハンドオーバでは、各基地局装置を介して同一の信号が受信されるので、端末装置は、記憶装置に記憶した信号のうち、同一であるべき信号を対応づけながら、当該信号を出力する。一方、システム間ソフトハンドオーバにおいて使用される無線通信システムは異なるので、それらに対する通信速度も一般的に異なる。通信速度の差異が大きくなると、一方の無線通信システムに対応した信号が多く記憶されるので、対応づけの処理が複雑になる。また、記憶装置の記憶容量の増大が要求される。
【０００４】
本発明はこうした状況に鑑みてなされたものであり、その目的は、複数の無線通信システム間における通信速度が近くなるように制御する受信技術を提供することにある。
【課題を解決するための手段】
【０００５】
上記課題を解決するために、本発明のある態様の無線装置は、複数の無線通信方式にそれぞれ対応した複数の通信部と、複数の通信部のそれぞれにおいて受信した信号を記憶する記憶部と、記憶部に記憶した信号に対して処理を実行する処理部と、複数の通信部のそれぞれの動作を制御する制御部とを備える。制御部は、記憶部に記憶した信号の量であって、かつ複数の通信部のそれぞれにおいて受信した信号の量間の差異が小さくなるように、複数の通信部のそれぞれにおける通信速度を制御する。
【０００６】
この態様によると、受信した信号の量間の差異が小さくなるように、複数の通信部のそれぞれにおける通信速度を制御するので、複数の無線通信システム間における通信速度が近くなるように制御できる。
【０００７】
制御部は、複数の通信部のそれぞれにおいて受信した信号の量のうち、少ない方に合わせるように、残りの通信部における通信速度を制御してもよい。この場合、受信した信号の量の少ない方に、残りの通信部における通信速度を合わせるので、複数の通信部のそれぞれにおいて受信した信号の量を近づけることができる。
【０００８】
複数の通信部のうちのひとつは、ハンドオーバの切替元として機能し、複数の通信部のうちの別のひとつは、ハンドオーバの切替先として機能しており、制御部は、ハンドオーバの切替元として機能した通信部において受信した信号の量に合わせるように、ハンドオーバの切替先として機能した通信部における通信速度を制御してもよい。この場合、ハンドオーバの切替元として機能した通信部において受信した信号の量に合わせるように、ハンドオーバの切替先として機能した通信部における通信速度を制御するので、簡易に両者の信号の量を近づけることができる。
【０００９】
複数の通信部のうちのひとつは、ハンドオーバの切替元として機能し、複数の通信部のうちの別のひとつは、ハンドオーバの切替先として機能しており、制御部は、ハンドオーバの切替先として機能した通信部において受信した信号の量に合わせるように、ハンドオーバの切替元として機能した通信部における通信速度を制御してもよい。この場合、ハンドオーバの切替元として機能した通信部において受信した信号の量に合わせるように、ハンドオーバの切替先として機能した通信部における通信速度を制御するので、簡易に両者の信号の量を近づけることができる。
【００１０】
本発明の別の態様もまた、無線装置である。この装置は、複数の無線通信方式にそれぞれ対応した複数の通信部と、複数の通信部のそれぞれにおいて受信した信号を処理を実行する処理部と、複数の通信部のそれぞれの動作を制御する制御部とを備える。複数の通信部のうちのひとつは、ハンドオーバの切替元として機能し、複数の通信部のうちの別のひとつは、ハンドオーバの切替先として機能しており、制御部は、ハンドオーバの切替元として機能した通信部における通信速度に合わせるように、ハンドオーバの切替先として機能した通信部における通信速度を制御する。
【００１１】
この態様によると、ハンドオーバの切替元として機能した通信部における通信速度に合わせるように、ハンドオーバの切替先として機能した通信部における通信速度を制御するので、複数の無線通信システム間における通信速度が近くなるように制御できる。
【００１２】
本発明のさらに別の態様もまた、無線装置である。この装置は、複数の無線通信方式にそれぞれ対応した複数の通信部と、複数の通信部のそれぞれにおいて受信した信号を処理を実行する処理部と、複数の通信部のそれぞれの動作を制御する制御部とを備える。複数の通信部のうちのひとつは、ハンドオーバの切替元として機能し、複数の通信部のうちの別のひとつは、ハンドオーバの切替先として機能しており、制御部は、ハンドオーバの切替先として機能した通信部における通信速度に合わせるように、ハンドオーバの切替元として機能した通信部における通信速度を制御する。
【００１３】
この態様によると、ハンドオーバの切替先として機能した通信部における通信速度に合わせるように、ハンドオーバの切替元として機能した通信部における通信速度を制御するので、複数の無線通信システム間における通信速度が近くなるように制御できる。
【００１４】
本発明のさらに別の態様は、受信方法である。この方法は、複数の無線通信方式にそれぞれ対応した信号を受信した後に、受信した信号をメモリに記憶する受信方法であって、メモリに記憶した信号の量であって、かつ複数の無線通信方式のそれぞれに対して受信した信号の量間の差異が小さくなるように、複数の無線通信方式のそれぞれにおける通信速度を制御する。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
複数の無線通信システム間における通信速度が近くなるように制御できる。
【発明を実施するための最良の形態】
【００１７】
本発明を具体的に説明する前に、概要を述べる。本発明の実施例は、ふたつの無線通信システムを使用する通信システムに関する。ここで、ふたつの無線通信システムとして、移動通信システムと固定通信システムとが使用される。移動通信システムは、ＴＤＭＡ（Ｔｉｍｅ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）を使用するが、ここでは、例えば、後者を説明の対象とする。以下では、ＣＤＭＡに対応した移動通信システムを単に「ＣＤＭＡ」という。また、固定通信システムとして、例えば、ＩＥＥＥ８０２．１６規格、ＩＥＥＥ８０２．１６ｅ規格に準拠した通信システムがあり、これらは、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）（商標）とも呼ばれている。以下では、これらに対応した固定通信システムを単に「ＷｉＭＡＸ」という。
【００１８】
また、通信システムは、ＣＤＭＡに対応した基地局装置、ＷｉＭＡＸに対応した基地局装置、両者と有線回線にて接続するＩＭＳ（ＩＰ  Ｍｕｌｔｉｍｅｄｉａ  Ｓｕｂｓｙｓｔｅｍ）、両者と無線回線にて接続する端末装置によって構成される。端末装置は、ＣＤＭＡに対応した基地局装置と、ＷｉＭＡＸに対応した基地局装置とに対して、システム間ソフトハンドオーバを実行する。そのため、所定のタイミングにおいて、端末装置は、両者から信号を受信し、記憶装置に記憶する。さらに、端末装置は、記憶装置に記憶した両者の信号間に対して対応づけを行いながら、信号を出力する。その際、両者の通信速度が大きく異なれば、記憶装置に記憶した信号の量の差異が大きくなるので、対応づけの処理に要するステップ数が増加する。これは、処理量の増加につながる。このような課題に対して、本実施例に係る端末装置は、以下の処理を実行する。
【００１９】
端末装置は、ＣＤＭＡに対応した基地局装置と、ＷｉＭＡＸに対応した基地局装置とから、信号を受信し、記憶装置に記憶する。また、端末装置は、記憶装置に記憶した信号の量の差異を監視し、差異が小さくなるように、通信速度を制御する。例えば、ＣＤＭＡに対する信号の量が少なくなった場合、端末装置は、ＣＤＭＡに対応した基地局装置に対して、通信速度の増加を要求する。
【００２０】
図１は、本発明の実施例に係る通信システム１００の構成を示す。通信システム１００は、ＩＰネットワーク１０、ＩＭＳ１２、ＧＷ（ＧａｔｅＷａｙ）１４、基地局装置１６と総称される第１基地局装置１６ａ、第２基地局装置１６ｂ、端末装置２０を含む。また、第１基地局装置１６ａは、第１基地局用アンテナ１８ａを含み、第２基地局装置１６ｂは、第２基地局用アンテナ１８ｂを含む。ここで、第１基地局用アンテナ１８ａと第２基地局用アンテナ１８ｂとは、基地局用アンテナ１８と総称される。また、端末装置２０は、端末用アンテナ２２を含む。
【００２１】
第１基地局装置１６ａは、前述のＣＤＭＡに対応した基地局装置に相当し、第２基地局装置１６ｂは、前述のＷｉＭＡＸに対応した基地局装置に相当する。これらは、無線側の他にも有線側のインターフェイスを有し、有線側のインターフェイスにおいて、ＩＰネットワーク１０に接続されている。ここで、第１基地局装置１６ａは、ＧＷ１４を介してＩＰネットワーク１０に接続される。また、ＩＰネットワーク１０には、図示されないルータ等が含まれている。なお、ＣＤＭＡに対応した基地局装置とは、ＣＤＭＡによって多重化した端末装置２０との間において通信を実行する移動通信システムの基地局装置である。
【００２２】
また、ＷｉＭＡＸに対応した基地局装置とは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）によって多重化した端末装置２０との間において通信を実行する固定通信システムの基地局装置である。ここで、ＣＤＭＡおよびＷｉＭＡＸの詳細については、説明を省略する。基地局装置１６は、下り回線において、後述のＩＭＳ１２から受けつけたデータを端末装置２０に送信し、上り回線において、端末装置２０から受けつけたデータをＩＭＳ１２に送信する。その際、基地局用アンテナ１８が使用される。
【００２３】
ＩＭＳ１２は、端末装置２０との通信に使用すべき基地局装置１６を制御する。また、ＩＭＳ１２は、ＩＰネットワーク１０と基地局装置１６との間において、データを中継する。下り回線において、ＩＭＳ１２は、ＩＰネットワーク１０から、端末装置２０に送信すべきデータを受けつける。ＩＭＳ１２は、第１基地局装置１６ａおよび第２基地局装置１６ｂへ、受けつけたＩＰパケットを出力する。また、上り回線において、ＩＭＳ１２は、第１基地局装置１６ａおよび第２基地局装置１６ｂからＩＰパケットを受けつける。ＩＭＳ１２は、受けつけたＩＰパケットのうちのいずれかを選択した後に、選択したＩＰパケットをＩＰネットワーク１０へ出力する。
【００２４】
端末装置２０は、音声通信やデータ通信のための機能、およびＣＤＭＡに対応した通信機能とＷｉＭＡＸに対応した通信機能とを有する。そのため、端末装置２０は、第１基地局装置１６ａに接続することによって、ＣＤＭＡによる通信を実行し、第２基地局装置１６ｂに接続することによって、ＷｉＭＡＸによる通信を実行する。その際、端末用アンテナ２２が使用される。また、端末装置２０は、ふたつの無線通信システムに対するシステム間ソフトハンドオーバの機能を有する。システム間ソフトハンドオーバの途中のステップにおいて、端末装置２０がふたつの基地局装置１６に接続される。図１は、この状態を示している。
【００２５】
図２は、通信システム１００におけるソフトハンドオーバ処理の手順を示すシーケンス図である。ＩＭＳ１２は、第１基地局装置１６ａと通信し（Ｓ１０）、第１基地局装置１６ａは、端末装置２０と通信する（Ｓ１２）。その結果、第１基地局装置１６ａを介して、ＩＭＳ１２と端末装置２０とが、通信する。端末装置２０は、第２基地局装置１６ｂとのシステム間ソフトハンドオーバを実行するために、第２基地局装置１６ｂに対して接続要求を送信する（Ｓ１４）。また、第２基地局装置１６ｂは、ＩＭＳ１２に接続要求を送信する（Ｓ１６）。
【００２６】
ＩＭＳ１２は、第２基地局装置１６ｂを介した端末装置２０の接続を許可し、第２基地局装置１６ｂに応答を送信する（Ｓ１８）。また、第２基地局装置１６ｂは、端末装置２０に応答を送信する（Ｓ２０）。その結果、ＩＭＳ１２は、第２基地局装置１６ｂと通信し（Ｓ２２）、第２基地局装置１６ｂは、端末装置２０と通信する（Ｓ２４）。なお、前述のごとく、ＩＭＳ１２は、第１基地局装置１６ａとも通信し（Ｓ２６）、第１基地局装置１６ａは、端末装置２０と通信する（Ｓ２８）。
【００２７】
図３は、端末装置２０の構成を示す。端末装置２０は、端末用アンテナ２２、通信部３０と総称される第１通信部３０ａ、第２通信部３０ｂ、処理部３２、ＩＦ部３４、制御部３６、記憶部３８を含む。なお、ここでの処理は、図１のごとく、複数の基地局装置１６に端末装置２０が接続している場合の処理に対応し、複数の基地局装置１６のうちの一方に端末装置２０が接続している場合、対応している部分だけが動作すればよい。
【００２８】
通信部３０は、図１の基地局装置１６との間において無線通信を実行する。具体的には、第１通信部３０ａは、図１の第１基地局装置１６ａとの通信を実行するために、ＣＤＭＡ通信を実行する。また、第２通信部３０ｂは、図１の第２基地局装置１６ｂとの通信を実行するために、ＷｉＭＡＸ通信を実行する。つまり、複数の通信部３０は、複数の無線通信方式にそれぞれ対応する。
【００２９】
まず、通信部３０における受信処理を説明する。通信部３０は、端末用アンテナ２２において受信した無線周波数の信号に対して周波数変換を実行し、ベースバンドの信号を生成する。なお、ＣＤＭＡとＷｉＭＡＸのそれぞれにおいて使用される無線周波数は、一般的に異なっているが、ここでは、それらを総称して単に無線周波数とする。また、通信部３０には、ＡＧＣ（Ａｕｔｏｍａｔｉｃ  Ｇａｉｎ  Ｃｏｎｔｒｏｌ）やＡ／Ｄ変換部も含まれる。つづいて、通信部３０は、ベースバンドの信号を復調する。ここで、第１通信部３０ａは、逆拡散処理を実行し、第２通信部３０ｂは、ＦＦＴ（Ｆａｓｔ  Ｆｏｕｒｉｅｒ  Ｔｒａｎｓｆｏｒｍ）を実行する。さらに、通信部３０は、復号も実行する。最終的に、通信部３０は、復号した信号を処理部３２へ出力する。
【００３０】
次に、通信部３０における送信処理を説明する。通信部３０は、処理部３２から入力した信号を変調する。また、第１通信部３０ａは、拡散処理を実行し、第２通信部３０ｂは、ＩＦＦＴを実行する。さらに、通信部３０は、変調処理の前に、符号化も実行する。通信部３０は、ベースバンドの信号に対して周波数変換を実行し、無線周波数の信号を生成する。さらに、通信部３０は、無線周波数の信号を端末用アンテナ２２に出力する。また、通信部３０には、ＰＡ（Ｐｏｗｅｒ  Ａｍｐｌｉｆｉｅｒ）、Ｄ／Ａ変換部も含まれる。
【００３１】
ＣＤＭＡおよびＷｉＭＡＸのそれぞれは、複数の通信速度に対応している。なお、通信速度は、誤り訂正の符号化率と変調方式との組合せによって規定される。ＣＤＭＡとＷｉＭＡＸとでは、ベースクロックの速度が異なるので、符号化率と変調方式とが同一であっても、両者の通信速度は一般的に異なる。そのため、ここでは、符号化率と変調方式のそれぞれについて詳細は説明せずに、単に通信速度として説明を行う。以上より、複数の通信部３０のそれぞれは、複数の通信速度に対応する。通信速度の決定は、複数の基地局装置１６のそれぞれにおいてなされる。
【００３２】
処理部３２は、通信部３０からの信号を入力し、信号を記憶部３８に出力する。記憶部３８は、処理部３２からの信号、つまり複数の通信部３０のそれぞれにおいて受信した信号を記憶する。記憶部３８は、通信部３０と、通信部３０から出力された信号とを対応づけながら記憶する。例えば、記憶部３８は、第１通信部３０ａと、第１通信部３０ａから出力された信号とを対応づける。図４は、記憶部３８に記憶されたデータの構造を示す。図３の第１通信部３０ａに対応づけられた領域として、第１データ領域２００、第１空き領域２０２が示されており、図３の第２通信部３０ｂに対応づけられた領域として、第２データ領域２０４、第２空き領域２０６が示される。
【００３３】
第１データ領域２００は、第１通信部３０ａから出力された信号が記憶された領域に相当し、第１空き領域２０２は、第１通信部３０ａから出力される信号を記憶可能な領域に相当する。また、第２データ領域２０４は、第２通信部３０ｂから出力された信号が記憶された領域に相当し、第２空き領域２０６は、第２通信部３０ｂから出力される信号を記憶可能な領域に相当する。図１に戻る。
【００３４】
処理部３２は、記憶部３８に記憶された信号であって、かつ複数の通信部３０のそれぞれから出力された信号を互いに対応づけ、対応づけた信号を３８から出力させる。図４の場合、処理部３２は、第１データ領域２００に記憶された信号と、第２データ領域２０４に記憶された信号との間において、対応づけを実行する。なお、第１データ領域２００に記憶された信号と、第２データ領域２０４に記憶された信号とには、同一の信号が含まれている。そのため、処理部３２は、例えば、第１データ領域２００に記憶された信号のうちのいずれかを特定し、第２データ領域２０４の中から、特定した信号を抽出する。抽出できた場合、処理部３２は、特定した信号と抽出した信号とを記憶部３８から出力させる。
【００３５】
また、処理部３２は、第１データ領域２００に記憶された他の信号に対して、以上の処理を繰り返し実行する。これより、第１データ領域２００と第２データ領域２０４とには、対応づけられていない信号が記憶されているといえる。そのため、第１データ領域２００に記憶された信号の量と第２データ領域２０４に記憶された信号の量との差異が大きくなると、対応づけのための検索処理量が多くなり、処理が遅くなる。つまり、処理部３２は、記憶部３８に記憶した信号に対して処理を実行する。また、処理部３２は、記憶部３８から出力した信号のうちの一方を選択し、ＩＦ部３４に出力する。一方、処理部３２がＩＦ部３４から信号を入力した場合、処理部３２は、入力した信号を通信部３０に出力する。
【００３６】
ＩＦ部３４は、ＩＭＳ１２に送信すべきデータを入力し、ＩＭＳ１２から受信したデータを出力する。例えば、ＩＦ部３４は、電話通信などの音声通信に関する処理を実行する。ＩＦ部３４は、図示しないマイク、スピーカを接続しており、マイクから音声を入力し、入力した音声を符号化し、符号化した信号をデータとして処理部３２へ出力する。また、ＩＦ部３４は、処理部３２からデータを入力し、復号することによって音声を再生する。また、再生された音声は、スピーカから出力される。ＩＦ部３４における符号化および復号には、公知の技術が使用されればよいので、ここでは、説明を省略する。
【００３７】
また、ＩＦ部３４は、電子メール、インターネット接続などのデータ通信に関する処理を実行する。ＩＦ部３４は、図示しない操作部、表示部を接続しており、操作部からユーザの指示やデータ（以下、「データ等」という）を入力し、入力したデータ等を符号化し、符号化したデータ等を前述のデータとして処理部３２へ出力する。また、ＩＦ部３４は、処理部３２から、前述のデータを入力し、復号することによってデータ等を再生する。また、再生されたデータは、表示部に表示される。
【００３８】
制御部３６は、複数の通信部３０のそれぞれの動作を制御する。特に、制御部３６は、複数の通信部３０のそれぞれにおける通信速度を制御する。制御部３６は、記憶部３８に記憶した信号の量であって、かつ複数の通信部３０のそれぞれにおいて受信した信号の量間の差異が小さくなるように、複数の通信部３０のそれぞれにおける通信速度を制御する。例えば、図４の第２データ領域２０４の量が第１データ領域２００の量よりも多い場合、両者の差異がしきい値よりも大きくなると、制御部３６は、第１通信部３０ａの通信速度を高くするように指示する。なお、通信速度の高速化ができない場合、制御部３６は、第２通信部３０ｂの通信速度を低くするように指示する。
【００３９】
一方、図４の第１データ領域２００の量が第２データ領域２０４の量よりも多い場合、両者の差異がしきい値よりも大きくなると、制御部３６は、第２通信部３０ｂの通信速度を高くするように指示する。なお、通信速度の高速化ができない場合、制御部３６は、第１通信部３０ａの通信速度を低くするように指示する。つまり、少なくとも、制御部３６は、複数の通信部３０のそれぞれにおいて受信した信号の量のうち、多い方に合わせるように、残りの通信部３０における通信速度を制御する。指示を受けつけた通信部３０は、接続した基地局装置１６に対して、通信速度の変更を要求する。
【００４０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
以上の構成による端末装置２０の動作を説明する。図５は、制御部３６における通信速度の制御手順を示すフローチャートである。ＷｉＭＡＸのデータ量の方が多く（Ｓ５０のＹ）、差がしきい値よりも大きい場合（Ｓ５２のＹ）、ＣＤＭＡの高速化が可能であれば（Ｓ５４のＹ）、第１通信部３０ａにおけるＣＤＭＡの通信速度の増加を決定する（Ｓ５６）。一方、ＣＤＭＡの高速化が可能でなければ（Ｓ５４のＮ）、第２通信部３０ｂにおけるＷｉＭＡＸの通信速度の低下を決定する（Ｓ５８）。差がしきい値よりも大きくない場合（Ｓ５２のＮ）、ステップ５４からステップ５８の処理は、スキップされる。
【００４２】
ＷｉＭＡＸのデータ量の方が多くなく（Ｓ５０のＮ）、差がしきい値よりも大きい場合（Ｓ６０のＹ）、ＷｉＭＡＸの高速化が可能であれば（Ｓ６２のＹ）、第２通信部３０ｂにおけるＷｉＭＡＸの通信速度の増加を決定する（Ｓ６４）。一方、ＷｉＭＡＸの高速化が可能でなければ（Ｓ６２のＮ）、第１通信部３０ａにおけるＣＤＭＡの通信速度の低下を決定する（Ｓ６６）。差がしきい値よりも大きくない場合（Ｓ６０のＮ）、ステップ６２からステップ６６の処理は、スキップされる。
【００４３】
以下、変形例を説明する。変形例では、ハンドオーバの切替元の通信速度に合わせるように、ハンドオーバの切替先の通信速度を調節する。そのため、制御部３６による制御対象の通信部３０がひとつになり、制御部３６の処理が簡易になる。変形例に係る端末装置２０の構成は、図３と同一のタイプである。ここで、複数の通信部３０のうちのひとつは、ハンドオーバの切替元として機能し、複数の通信部３０のうちの別のひとつは、ハンドオーバの切替先として機能している。例えば、第１通信部３０ａが切替元であれば、第２通信部３０ｂが切替先に相当する。制御部３６は、ハンドオーバの切替元として機能した通信部３０において受信した信号の量に合わせるように、ハンドオーバの切替先として機能した通信部３０における通信速度を制御する。
【００４４】
図６は、制御部３６における通信速度の別の制御手順を示すフローチャートである。切替先のデータ量の方が少なく（Ｓ８０のＹ）、差がしきい値よりも大きい場合（Ｓ８２のＹ）、切替先の通信速度の増加を決定する（Ｓ８４）。差がしきい値よりも大きくない場合（Ｓ８２のＮ）、ステップ８４の処理は、スキップされる。一方、切替先のデータ量の方が少なくなく（Ｓ８０のＮ）、差がしきい値よりも大きい場合（Ｓ８６のＹ）、切替先の通信速度の低下を決定する（Ｓ８８）。差がしきい値よりも大きくない場合（Ｓ８６のＮ）、ステップ８８の処理は、スキップされる。
【００４５】
以下、別の変形例を説明する。別の変形例では、ハンドオーバの切替先の通信速度に合わせるように、ハンドオーバの切替元の通信速度を調節する。そのため、制御部３６による制御対象の通信部３０がひとつになり、制御部３６の処理が簡易になる。別の変形例に係る端末装置２０の構成は、図３と同一のタイプである。ここで、複数の通信部３０のうちのひとつは、ハンドオーバの切替元として機能し、複数の通信部３０のうちの別のひとつは、ハンドオーバの切替先として機能している。制御部３６は、ハンドオーバの切替先として機能した通信部３０において受信した信号の量に合わせるように、ハンドオーバの切替元として機能した通信部３０における通信速度を制御する。
【００４６】
図７は、制御部３６における通信速度のさらに別の制御手順を示すフローチャートである。切替元のデータ量の方が少なく（Ｓ１００のＹ）、差がしきい値よりも大きい場合（Ｓ１０２のＹ）、切替元の通信速度の増加を決定する（Ｓ１０４）。差がしきい値よりも大きくない場合（Ｓ１０２のＮ）、ステップ１０４の処理は、スキップされる。一方、切替元のデータ量の方が少なくなく（Ｓ１００のＮ）、差がしきい値よりも大きい場合（Ｓ１０６のＹ）、切替元の通信速度の低下を決定する（Ｓ１０８）。差がしきい値よりも大きくない場合（Ｓ１０６のＮ）、ステップ１０８の処理は、スキップされる。
【００４７】
本発明の実施例によれば、複数の無線通信システムのそれぞれに対応づけながら記憶した信号の量間の差異が小さくなるように、複数の通信部のそれぞれにおける通信速度を制御するので、複数の無線通信システム間における通信速度が近くなるように制御できる。また、複数の無線通信システム間における通信速度が近くなるように制御するので、記憶した信号の量間の差異を小さくできる。また、記憶した信号の量間の差異を小さくできるので、両者の信号間の対応づけについての処理を簡易にできる。また、対応づけについての処理を簡易にできるので、処理を高速にできる。
【００４８】
また、処理を高速に実行するので、システム間ソフトハンドオーバを高速に実行できる。また、信号速度が高速になるように、信号速度を調節するので、スループットを向上できる。また、受信した信号の量の多い方に、残りの通信部における通信速度を合わせるので、複数の通信部のそれぞれにおいて受信した信号の量を近づけることができる。また、ハンドオーバの切替元として機能した通信部において受信した信号の量に合わせるように、ハンドオーバの切替先として機能した通信部における通信速度を制御するので、簡易に両者の信号の量を近づけることができる。
【００４９】
また、ハンドオーバの切替先として機能した通信部だけを処理対象にするので、処理を簡易にできる。また、ハンドオーバの切替元として機能した通信部において受信した信号の量に合わせるように、ハンドオーバの切替先として機能した通信部における通信速度を制御するので、簡易に両者の信号の量を近づけることができる。また、ハンドオーバの切替元として機能した通信部だけを処理対象にするので、処理を簡易にできる。
【００５０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５１】
本発明の実施例において、記憶部３８に記憶した信号の量にしたがって、制御部３６は、通信部３０の通信速度を制御する。しかしながらこれに限らず例えば、記憶した信号の量を監視せずに、制御部３６は、通信部３０の通信速度を制御してもよい。この場合、複数の通信部３０のうちのひとつは、ハンドオーバの切替元として機能し、複数の通信部３０のうちの別のひとつは、ハンドオーバの切替先として機能する。制御部３６は、ハンドオーバの切替元として機能した通信部３０における通信速度に合わせるように、ハンドオーバの切替先として機能した通信部３０における通信速度を制御する。本変形例によれば、ハンドオーバの切替元として機能した通信部における通信速度に合わせるように、ハンドオーバの切替先として機能した通信部における通信速度を制御するので、複数の無線通信システム間における通信速度が近くなるように制御できる。
【００５２】
また、制御部３６は、ハンドオーバの切替先として機能した通信部３０における通信速度に合わせるように、ハンドオーバの切替元として機能した通信部３０における通信速度を制御する。本変形例によれば、ハンドオーバの切替先として機能した通信部における通信速度に合わせるように、ハンドオーバの切替元として機能した通信部における通信速度を制御するので、複数の無線通信システム間における通信速度が近くなるように制御できる。
【００５３】
本発明の実施例において、複数の無線通信システムのそれぞれに対応するように、複数の基地局装置１６が設けられている。しかしながらこれに限らず例えば、ひとつの基地局装置１６が設けられ、当該基地局装置１６が複数の無線通信システムの機能を実行してもよい。本変形例によれば、複数の無線通信システムに対して、ＩＭＳ１２から基地局装置１６までの経路を共通化できるので、両者の通信速度を近くできる。
【００５４】
本発明の実施例において、端末装置２０は、ひとつの端末用アンテナ２２を備えながら、送信処理および受信処理を実行している。しかしながらこれに限らず、端末装置２０は、複数の端末用アンテナ２２を備えながら、通信部３０は、複数のベースバンドの信号に対してアダプティブアレイ信号処理やダイバーシチ処理を実行してもよい。ここで、複数のベースバンドの信号は、複数の端末用アンテナ２２において受信された無線周波数の信号のそれぞれに対応する。また、アダプティブアレイ信号処理は、複数のベースバンドの信号のそれぞれに対して受信ウエイトベクトルを導出し、導出した受信ウエイトベクトルにて複数のベースバンドの信号を重みづけた後に、それらを加算する。また、アダプティブアレイ信号処理は、これら以外であっても、公知の技術によって実現されればよい。一方、ダイバーシチ処理として、選択ダイバーシチ、同相合成ダイバーシチ、最大比合成ダイバーシチ等がなされればよい。
【００５５】
通信部３０は、送信処理においても受信処理の際と同様に、入力した信号に対して、アダプティブアレイ信号処理やダイバーシチ処理を実行してもよい。アダプティブアレイ信号処理は、受信ウエイトベクトルをもとに送信ウエイトベクトルを導出し、導出した送信ウエイトベクトルによって、変調した信号を重みづけした後に、それらをベースバンドの信号として出力する。また、ダイバーシチ処理は、複数の端末用アンテナ２２のうちのいずれかから無線周波数の信号が送信されるように、変調した信号のうちのいずれかを選択する。なお、以上の変形例は、基地局装置１６についても同様である。本変形例によれば、通信品質を向上できる。さらに、端末装置２０および通信部３０は、ＭＩＭＯ処理を実行してもよい。ＭＩＭＯ処理は、公知の技術によって実現されればよいので、ここでは、説明を省略する。本変形例によれば、通信速度を向上できる。
【００５６】
本発明の実施例において、通信システム１００は、ふたつの無線通信システムに対応している。しかしながらこれに限らず例えば、通信システム１００は、３つ以上の無線通信システムに対応していてもよい。３つ目の無線通信システムとして、例えば、ＩＥＥＥ８０２．１１に準拠した無線ＬＡＮ（Ｌｏｃａｌ  Ａｒｅａ  Ｎｅｔｗｏｒｋ）システムが使用される。本変形例によれば、多くの無線通信システムを使用することによって、通信速度をさらに向上でき、通信品質の悪化を抑制しやすくできる。
【図面の簡単な説明】
【００５７】
【図１】本発明の実施例に係る通信システムの構成を示す図である。
【図２】図１の通信システムにおけるソフトハンドオーバ処理の手順を示すシーケンス図である。
【図３】図１の端末装置の構成を示す図である。
【図４】図３の記憶部に記憶されたデータの構造を示す図である。
【図５】図３の制御部における通信速度の制御手順を示すフローチャートである。
【図６】図３の制御部における通信速度の別の制御手順を示すフローチャートである。
【図７】図３の制御部における通信速度のさらに別の制御手順を示すフローチャートである。
【符号の説明】
【００５８】
１０  ＩＰネットワーク、  １２  ＩＭＳ、  １４  ＧＷ、  １６  基地局装置、  １８  基地局用アンテナ、  ２０  端末装置、  ２２  端末用アンテナ、  ３０  通信部、  ３２  処理部、  ３４  ＩＦ部、  ３６  制御部、  ３８  記憶部、  １００  通信システム。
【図１】
2008205851.tif 000003
【図２】
2008205851.tif 000004
【図３】
2008205851.tif 000005
【図４】
2008205851.tif 000006
【図５】
2008205851.tif 000007
【図６】
2008205851.tif 000008
【図７】
2008205851.tif 000009